(57)【要約】【課題】多数存在する屋外線引留具の中から、目的とする屋外線引留具を容易に識別し管理する。【解決手段】屋外線引留具１は、屋外線の支持線の端部側を挿入する支持線挿入部９とこの支持線挿入部９に挿入された支持線をロックする支持線ロック部７とからなる引留具本体３と、この引留具本体３の一端に突設した吊り本体５と、前記引留具本体３に設けられ識別情報を記憶するＲＦＩＤ１９と、から構成される。多数の屋外線引留具１が存在しても、光ケーブルから屋外線により配線する際に、ＲＦＩＤ読み書き装置で屋外線引留具１のＲＦＩＤ１９へ該当する屋外線のケーブル情報が書き込まれるので、屋外線引留具１の個別識別ができ、該当する屋外線を容易に管理できる。回線切り替え時にはＲＦＩＤ読み書き装置により、多数の屋外線引留具１の中から目的とする屋外線引留具１を容易に識別することができる。【選択図】      図１
2004343835.tif 000002
【特許請求の範囲】
【請求項１】
屋外線の支持線の端部側を挿入する支持線挿入部とこの支持線挿入部に挿入された支持線をロックする支持線ロック部とからなる引留具本体と、この引留具本体の一端に突設した吊り本体と、前記引留具本体に設けられ識別情報を記憶するＲＦＩＤと、からなることを特徴とする屋外線引留具。
【請求項２】
前記ＲＦＩＤが前記引留具本体における支持線ロック部に埋設されていることを特徴とする請求項１記載の屋外線引留具。
【請求項３】
前記ＲＦＩＤが、外部から非接触で前記識別情報を読み書き可能であることを特徴とする請求項１又は２記載の屋外線引留具。
【請求項４】
敷設される光ケーブルの多数の光ファイバの回線を屋外線により配線するとき、前記各屋外線の支持線の端部側を屋外線引留具における支持線挿入部に差し込んで内部でロックすることにより引留めして配線するにあたって、
予め、前記屋外線引留具における引留具本体に、該当する屋外線を識別するための識別情報を記憶せしめるＲＦＩＤを設け、このＲＦＩＤに識別情報をＲＦＩＤ読み書き装置で書き込み及び読み取りを行うことによって該当する屋外線引留具を個別に識別し、該当する屋外線を管理することを特徴とする屋外線管理方法。
【請求項５】
前記ＲＦＩＤが、外部から非接触で前記識別情報を読み書き可能であることを特徴とする請求項４記載の屋外線管理方法。
【発明の詳細な説明】
【０００１】
【発明の属する技術分野】
この発明は、屋外線（「光屋外線」、「光ファイバドロップケーブル」もしくは「ドロップケーブル」ともいうが、以下、この明細書では「屋外線」という）を加入者側へ配線するために屋外線引留具が同一電柱上に多数用いられる。この多数存在する屋外線引留具の中から、所望の屋外線引留具の個別識別を容易に行うことを可能にさせ、布設される先の加入者の情報の管理性・識別性の向上を図る屋外線引留具及び前記屋外線引留具を用いた屋外線管理方法に関する。
【０００２】
【従来の技術】
ＦＴＴＨ（Ｆｉｂｅｒ−ｔｏ−ｔｈｅ−Ｈｏｍｅ）に代表される光アクセス網が急速に進展し、光ファイバが加入者宅にまで配線される時代となってきた。局から各家庭までの距離は、たかだか数ｋｍに過ぎないが、一般的に、日本の大都市部の局の加入者数は数万にも達すると予測される。
【０００３】
図６及び図７を参照するに、多数の光ファイバを内蔵した光ケーブル１０１が局から例えば電柱１０３（あるいは地中内の管路）を経て敷設される。電柱１０３間に敷設される架空光ケーブル１０１は当該架空光ケーブル１０１に添設されている吊線１０５で電柱１０３間に支持され、光ケーブル本体部１０７が前記吊線１０５から離されて、電柱１０３の近くで上記の吊線１０５に支持された屋外線用のクロージャ１０９に引き込まれ、クロージャ１０９内で光ケーブル本体部１０７から複数本の屋外線１１１が各加入者宅１１３に向けて配線されることになる。
【０００４】
上記の屋外線１１１は、図９に示されているように、長尺の屋外線本体部１１５が例えば２芯の光ファイバ１１７からなる光ファイバテープ心線１１９（又は光ファイバ心線）と、この近傍に平行で両脇に一対の例えばＦＲＰからなる抗張力体１２１が添設されている。これらが一括してＰＶＣや難燃性のＰＥのような熱可塑性樹脂のケーブルシース１２３で被覆したもので、前記各抗張力体１２１を結んだ方向に対して直交した方向の前記テープ心線１１９の両側（図９において上下）におけるケーブルシース１２３の表面にノッチ部１２５が形成されている。
【０００５】
さらに、上記の屋外線本体部１１５のケーブルシース１２３に、金属線例えば鋼線からなる支持線１２７をケーブルシース１２３と同じ樹脂のシース材１２９で被覆した長尺のケーブル支持線部１３１を互いに平行に首部１３３を介して一体化されている。この場合、ケーブルシース１２３が首部１３３でケーブル支持線部１３１から分離され、屋外線本体部１１５がインドアケーブルに接続される。
【０００６】
屋外線１１１の配線形態は、図７及び図８（Ａ），（Ｂ），（Ｃ）に示されているように電柱１０３には固定金具１３５が固定され、この固定金具１３５に円形ローラ１３７を備えた架空線支持金具１３９が取り付けられている。屋外線１１１は円形ローラ１３７に引っ掛けた屋外線差込式引留具１４１を用いて配線される。なお、図７では１個の架空線支持金具１３９と屋外線差込式引留具１４１が図示されているが、実際には配線される屋外線１１１の数の分の架空線支持金具１３９と屋外線差込式引留具１４１が取り付けられている。
【０００７】
つまり、上記の屋外線１１１の両側端部の首部１３３が一部切り裂かれて前記屋外線本体部１１５とケーブル支持線部１３１とが分離され、この分離された一方のケーブル支持線部１３１の支持線１２７の端部１２７Ａが電柱１０３の屋外線差込式引留具１４１に固定され、他方の端部１２７Ｂが加入者宅１１３の一部に屋外線差込式引留具１４１を介して固定される。
【０００８】
また、前記屋外線本体部１１５の一方の端部１１５Ａは屋外線本体部１１５のノッチ部１２５を利用してケーブルシース１２３が切り裂かれてテープ心線１１９が取り出され、このテープ心線１１９が電柱１０３上のクロージャ１０９に接続される。他方の端部１１５Ｂは屋外線本体部１１５のノッチ部１２５を利用してケーブルシース１２３が切り裂かれてテープ心線１１９が取り出され、このテープ心線１１９が屋内のＯＥ変換器または成端箱に接続される。
【０００９】
屋外線差込式引留具１４１としては、図８（Ａ），（Ｂ），（Ｃ）に示されているように、引留具本体１４３と吊り体としての環状をなすハンガー１４５とからなり、しかも、引留具本体１４３は円錐台状の支持線ロック部１４７と支持線挿入部１４９とで構成されている。前記支持線ロック部１４７には一対の突起部１５１が突設されており、各突起部１５１には切溝１５３が設けられている。この切溝１５３には、例えば架空線支持金具１３９の円形ローラ１３７に引っ掛けるために前記環状をなすハンガー１４５が差し込まれて保持される。なお、ハンガー１４５の端部には前記一対の突起部１５１に掛止するための掛止部１５５が設けられている。
【００１０】
前記支持線ロック部１４７には円錐台を２分割したコーン１５７が内蔵されており、これらのコーン１５７でケーブル支持線部１３１の支持線１２７を挟んで保持するためのロック機構１５９が設けられている。このロック機構１５９としては、例えば２分割のコーン１５７が支持線ロック部１４７の内部で図８（Ａ）において右方向に移動するにつれて支持線１２７を挟み込んでロックするテーパ面が形成されている。また、コーン１５７の図８（Ａ）において右先端は支持線１２７を挿入するための前記支持線挿入部１４９が形成されている（例えば、特許文献１参照）。
【００１１】
したがって、ハンガー１４５が架空線支持金具１３９の円形ローラ１３７に引っ掛けられてから、ケーブル支持線部１３１のシース材１２９を除去された支持線１２７が、図８（Ｂ）に示されているように２分割のコーン１５７の支持線挿入部１４９から差し込まれ、支持線ロック部１４７の反対側へ挿通される。その後、支持線１２７が図８（Ｂ）において右方へ引っ張られることにより、２分割のコーン１５７も右方へ移動して支持線１２７を挟み込んでロックし、支持線１２７が屋外線差込式引留具１４１に引留められる。
【００１２】
従来、上記の各屋外線１１１に対してどの加入者が使用しているかを管理するためには、図８（Ａ），（Ｂ），（Ｃ）に示されているように、屋外線差込式引留具１４１を個別識別するための識別コード１６１が直接、屋外線差込式引留具１４１に印字されるか、あるいは識別コード１６１を印字したラベルが屋外線差込式引留具１４１における引留具本体１４３を構成する例えば支持線ロック部１４７に貼られる。
【００１３】
一方、上記のように屋外線差込式引留具１４１に識別コード１６１を設けるのではなく、屋外線１１１のケーブルシース１２３上に、社名・製造年・ケーブル識別記号などの識別情報を製造時に印字することが一般的である。あるいは、上記の識別情報を付記した識別タグが屋外線１１１に取り付けることも行われている。これにより、ケーブル種別などの限定的情報が得られる（例えば、特許文献２及び特許文献３参照）。
【００１４】
また、他の方法の例としては、局側の光配線盤（ＭＤＦ）を介して設備保留を解除する回線に識別音送出装置から識別音を送出し、加入者側のクロージャ（接続端子函）において前記識別音の聞こえる心線を線路用携帯送受器で探索して確認している（例えば、特許文献４参照）。
【００１５】
【特許文献１】
特開２００１−２３１１３７号公報
【００１６】
【特許文献２】
特開平９−１５９８８８号公報
【００１７】
【特許文献３】
特開２００１−２１８３２７号公報
【００１８】
【特許文献４】
特開平５−１４４９８号公報
【００１９】
【発明が解決しようとする課題】
ところで、従来の屋外線差込式引留具１４１を用いた屋外線管理方法においては、図８（Ａ）、（Ｂ）、（Ｃ）に示されているように、識別コード１６１が直接、屋外線差込式引留具１４１における支持線ロック部１４７の表面に印字されるか、あるいは識別コード１６１を印字したラベルが屋外線差込式引留具１４１における支持線ロック部１４７の表面に貼られる場合は、屋外の温度変化、経年変化などの理由で、識別コード１６１の印字の消滅あるいは、印字したラベルの接着剤と屋外線差込式引留具１４１との剥離が生じるという問題があった。
【００２０】
一方、屋外線１１１のケーブルシース１２３上に直接、識別コード１６１が印字される場合は、屋外線１１１の製造長が数ｋｍであるのに対して、実際に電柱１０３から加入者宅１１３まで施工される屋外線１１１はせいぜい数十ｍである。したがって、施工時に適当長に切断される屋外線１１１の個別識別のために、屋外線１１１の製造工程の段階で、あらかじめ数十ｍ毎に異なる識別記号を屋外線１１１のケーブルシース１２３上に印字することは困難である。しかも、屋外線１１１のケーブルシース１２３の材料の大半がポリエチレンなので、印字したインクの材料とポリエチレンとの親和性が悪く、屋外で太陽光線、特に紫外線に長期間曝されていると、印字が消滅するという問題点があった。
【００２１】
屋外線１１１が銅線などのメタルの場合は、前述したように特許文献４に開示された方法でも可能であるが、この方法は電気絶縁体材料である石英系ガラスからなる光ファイバ１１７には全く適用できないという問題点があった。
【００２２】
この発明は上述の課題を解決するためになされたもので、その目的は、多数存在する屋外線引留具の中から、目的とする屋外線引留具を識別して該当する屋外線を管理することを容易に行える屋外線引留具及び前記屋外線引留具を用いた屋外線管理方法を提供することにある。
【００２３】
【課題を解決するための手段】
上記目的を達成するために請求項１によるこの発明の屋外線引留具は、屋外線の支持線の端部側を挿入する支持線挿入部とこの支持線挿入部に挿入された支持線をロックする支持線ロック部とからなる引留具本体と、この引留具本体の一端に突設した吊り本体と、前記引留具本体に設けられ識別情報を記憶するＲＦＩＤと、からなることを特徴とするものである。
【００２４】
したがって、多数の屋外線引留具が存在しても、引留具本体にＲＦＩＤを設けた屋外線引留具を採用することにより、光ケーブルから屋外線により加入者宅へ配線する際に、ＲＦＩＤ読み書き装置で屋外線引留具における引留具本体に設けたＲＦＩＤへ該当する屋外線の情報が書き込まれるので、屋外線引留具の個別識別が可能となり、該当する屋外線の管理が容易となる。その結果、回線切り替え時にはＲＦＩＤ読み書き装置により、多数の屋外線引留具の中から目的とする屋外線引留具を容易に且つ確実に識別することができ、回線切り替え工事が容易となる。
【００２５】
請求項２によるこの発明の屋外線引留具は、請求項１記載の屋外線引留具において、前記ＲＦＩＤが前記引留具本体における支持線ロック部に埋設されていることを特徴とするものである。
【００２６】
したがって、ＲＦＩＤが引留具本体における支持線ロック部に埋設されているから、正確かつ容易に書き込み、読み取りができ、しかも、壊れることなく長期間使用される。
【００２７】
請求項３によるこの発明の屋外線引留具は、請求項１又は２記載の屋外線引留具において、前記ＲＦＩＤが、外部から非接触で前記識別情報を読み書き可能であることを特徴とするものである。
【００２８】
したがって、屋外線の情報は、用いられる屋外線引留具における引留具本体に設けられたＲＦＩＤに容易に書き込むことができ、この書き込まれた屋外線引留具の識別情報は時間経過によって消滅することはなく、例えばＲＦＩＤ読み書き装置により外部から非接触で短時間に容易に識別される。
【００２９】
請求項４によるこの発明の屋外線管理方法は、敷設される光ケーブルの多数の光ファイバの回線を屋外線により配線するとき、前記各屋外線の支持線の端部側を屋外線引留具における支持線挿入部に差し込んで内部でロックすることにより引留めして配線するにあたって、
予め、前記屋外線引留具における引留具本体に、該当する屋外線を識別するための識別情報を記憶せしめるＲＦＩＤを設け、このＲＦＩＤに識別情報をＲＦＩＤ読み書き装置で書き込み及び読み取りを行うことによって該当する屋外線引留具を個別に識別し、該当する屋外線を管理することを特徴とするものである。
【００３０】
したがって、多数の屋外線引留具が存在しても、引留具本体にＲＦＩＤを設けた屋外線引留具を採用することにより、光ケーブルから屋外線により加入者宅へ配線する際に、ＲＦＩＤ読み書き装置で屋外線引留具における引留具本体に設けられたＲＦＩＤへ該当する屋外線の情報が書き込まれるので、屋外線引留具の個別識別が可能となり、該当する屋外線の管理が容易となる。その結果、回線切り替え時にはＲＦＩＤ読み書き装置により、多数の屋外線引留具の中から目的とする屋外線引留具を容易に且つ確実に識別することができ、回線切り替え工事が容易となる。
【００３１】
請求項５によるこの発明の屋外線管理方法は、請求項４記載の屋外線管理方法において、前記ＲＦＩＤが、外部から非接触で前記識別情報を読み書き可能であることを特徴とするものである。
【００３２】
したがって、屋外線の情報は、用いられる屋外線引留具における引留具本体に設けられたＲＦＩＤに容易に書き込むことができ、この書き込まれた屋外線引留具の識別情報は時間経過によって消滅することはなく、例えばＲＦＩＤ読み書き装置により外部から非接触で短時間に容易に識別される。
【００３３】
【発明の実施の形態】
以下、この発明の実施の形態について図面を参照して説明する。
【００３４】
この実施の形態に係る屋外線引留具は、例えば局から電柱を経て敷設される光ケーブルの多数の光ファイバがクロージャ内で複数本の屋外線によって各加入者宅に向けて配線される時に使用されるものである。
【００３５】
図１（Ａ），（Ｂ），（Ｃ）を参照するに、この実施の形態に係る屋外線引留具としての例えば屋外線差込式引留具１としては、引留具本体３と吊り本体としてのハンガー５とからなっている。そして、前記引留具本体３は円錐台状の支持線ロック部７と屋外線の支持線を挿入するための支持線挿入部９とで構成されている。前記支持線ロック部７には一対の突起部１１が突設されており、各突起部１１には切溝１３が設けられている。この切溝１３には、例えば電柱に固定された架空線支持金具の円形ローラ（図示省略）に引っ掛けるために環状をなす前記ハンガー５が差し込まれて保持される。なお、ハンガー５の端部には一対の突起部１１に掛止するための掛止部１５が設けられている。なお、前記ハンガー５としては鋼線からなる環状ワイヤあるいは鋼材の棒体を湾曲成形したもの、あるいは他の材質、形状であっても構わない。
【００３６】
また、前記支持線ロック部７には、屋外線の支持線を挿入するための支持線挿入部９から差し込まれた支持線を挟んで保持するためのロック機構１７が設けられている。このロック機構１７としては、例えば、前記支持線ロック部７に円錐台を２分割したコーン１８が内蔵されており、これらのコーン１８で屋外線の支持線を挟んで保持するために、上記の２分割のコーン１８が支持線ロック部７の内部で図１（Ａ）において右方向に移動するにつれて支持線を挟み込んでロックせしめるテーパ面が形成されている。また、支持線挿入部９としては、例えばコーン１８の図１（Ａ）において右側に支持線ロック部７から突出するように構成されている。
【００３７】
また、この実施の形態では、ディスク状のＲＦＩＤ１９（Ｒａｄｉｏ  Ｆｒｅｑｕｅｎｃｙ  Ｉｄｅｎｔｉｆｉｃａｔｉｏｎ）が引留具本体３における例えば支持線ロック部７に内蔵されている。図１（Ａ），（Ｂ），（Ｃ）では前記ＲＦＩＤ１９が支持線ロック部７の内部に埋め込まれているが、ＲＦＩＤ１９の片面が外側に露出するようにして支持線ロック部７の外周面に埋め込まれていても構わない。
【００３８】
上記のＲＦＩＤ１９についてより詳しくは、図２に示されているようにこの実施の形態では中空のほぼ円盤形状でプラスチック製のケース２１内に、同調用コンデンサと電源用コンデンサとケーブル情報を記憶したＩＣ（Ｉｎｔｅｇｒａｔｅｄ  Ｃｉｒｃｕｉｔ）チップとを収納したＩＣパッケージ２３と、このＩＣパッケージ２３に電気的に接続したアンテナコイル２５が内蔵されている。アンテナコイル２５は微小アンテナの役割を果たすもので、円板状の磁芯部材２７と、この磁芯部材２７の周囲に渦巻き状に卷回されたコイル本体としての被覆銅線２９とからなっている。
【００３９】
ＲＦＩＤ１９は、図５に示されているように電磁誘導を用いたＲＦＩＤ読み書き装置としての例えばＲＦＩＤリード／ライタ機器３１にケーブル３３で結線されたアンテナ３５から発信される無線電波により、アンテナコイル２５を経てＩＣパッケージ２３内のＩＣチップに記憶されたケーブル情報が読み出し且つ書き込み可能に構成されている。つまり、ＲＦＩＤリード／ライタ機器３１のアンテナ３５とＲＦＩＤ１９のアンテナコイル２５との間で電磁波のやり取りが行われ、ＲＦＩＤ１９を内蔵する屋外線差込式引留具１の個別識別が可能となる。
【００４０】
なお、上記のＲＦＩＤ１９のケーブル情報としては、例えば事業者名、加入者の住所や氏名、布設日、サービス内容などの識別情報が例えばＲＦＩＤリード／ライタ機器３１によって盛り込まれると共に、局のホストサーバに上記のケーブル情報のデータが保存され、情報管理が行われる。
【００４１】
なお、屋外線差込式引留具１における上記のＲＦＩＤ１９の設置場所に関しては、前述した引留具本体３の支持線ロック部７に限らず、他のいずれの場所であっても構わないが、スペース的な点とＲＦＩＤリード／ライタ機器３１の使用状態を考慮すると、引留具本体３の支持線ロック部７に埋め込まれているのが好適である。
【００４２】
次に、上記の屋外線差込式引留具１を用いて光ファイバの回線状態を管理する方法について説明する。
【００４３】
図３（Ａ），（Ｂ）ないしは図５を参照するに、多数の光ファイバを内蔵した光ケーブル（図示省略）は局から例えば電柱３７を経て敷設され、電柱３７の近くの屋外線用のクロージャ（図示省略）内で複数本の屋外線３９が各加入者宅に向けて配線されることになる。
【００４４】
上記の屋外線３９は、図４に示されているように、長尺の屋外線本体部４１が例えば２芯の光ファイバ４３からなる光ファイバテープ心線４５（又は光ファイバ心線）と、この近傍に平行で両脇に一対の例えばＦＲＰからなる抗張力体４７が添設されている。これらが一括してＰＶＣや難燃性のＰＥのような熱可塑性樹脂のケーブルシース４９で被覆したもので、前記各抗張力体４７を結んだ方向に対して直交した方向の前記光ファイバテープ心線４５の両側（図４において上下）におけるケーブルシース４９の表面にノッチ部５１が形成されている。
【００４５】
さらに、上記の屋外線本体部４１のケーブルシース４９に、金属線例えば鋼線からなる支持線５３をケーブルシース４９と同じ樹脂のシース材５５で被覆した長尺のケーブル支持線部５７を互いに平行に首部５９を介して一体化されている。この場合、ケーブルシース４９が首部５９でケーブル支持線部５７から分離され、屋外線本体部４１がインドアケーブルに接続される。
【００４６】
屋外線３９の配線形態は、図５に示されているように電柱３７には固定金具６１が固定され、この固定金具６１に円形ローラ６３を備えた架空線支持金具６５が取り付けられている。屋外線３９は円形ローラ６３に引っ掛けた屋外線差込式引留具１を用いて配線される。なお、図５では１個の架空線支持金具６５と屋外線差込式引留具１が図示されているが、実際には配線される屋外線３９の数の分の架空線支持金具６５と屋外線差込式引留具１が取り付けられている。
【００４７】
上記の屋外線３９の両側端部の首部５９が一部切り裂かれて前記屋外線本体部４１とケーブル支持線部５７とが分離され、この分離された一方のケーブル支持線部５７の支持線５３の端部が電柱３７の屋外線差込式引留具１に固定される。
【００４８】
つまり、屋外線差込式引留具１のハンガー５が架空線支持金具６５の円形ローラ６３に引っ掛けられる。ケーブル支持線部５７のシース材５５を除去された支持線５３が、図３（Ａ），（Ｂ）に示されているように２分割のコーン１８に支持線挿入部９から差し込まれ、支持線ロック部７の反対側へ挿通される。その後、支持線５３が図３（Ｂ）において右方へ引っ張られることにより、２分割のコーン１８も右方へ移動して支持線５３を挟み込んでロックし、支持線５３が屋外線差込式引留具１に引留められる。
【００４９】
また、前記分離された他方のケーブル支持線部５７の支持線５３の端部は、上記の電柱３７側の屋外線差込式引留具１と同様にして屋外線引留具（図示省略）に巻き付けられて家屋の一部に固定される。
【００５０】
なお、前記屋外線本体部４１の電柱３７側の端部は、屋外線本体部４１のノッチ部５１を利用してケーブルシース４９が切り裂かれて光ファイバテープ心線４５が取り出され、この光ファイバテープ心線４５が電柱３７の近くに設けたクロージャ（図示省略）に接続される。屋外線本体部４１の家屋側の端部は、屋外線本体部４１のノッチ部５１を利用してケーブルシース４９が切り裂かれて光ファイバテープ心線４５が取り出され、この光ファイバテープ心線４５が屋内のＯＥ変換器または成端箱に接続される。
【００５１】
現場における屋外線差込式引留具１の識別試験の状態は、図５に示されているように多数の屋外線差込式引留具１の中から目的とする屋外線差込式引留具１を識別するために、ＲＦＩＤリード／ライタ機器３１にケーブル３３で結線されたアンテナ３５から、１３４ｋＨｚの電磁波が呼び掛け信号として周囲に放射される。なお、上記の電磁波は、通常は１３５ｋＨｚ以下であるが、これに限定されない。
【００５２】
一方、識別すべき屋外線差込式引留具１の引留具本体３における支持線ロック部７にはＲＦＩＤ１９が内蔵されているので、ＲＦＩＤ１９は上記のアンテナ３５から発信された呼び掛け信号としての１３４ｋＨｚの電磁波をエネルギー源にして電源用コンデンサに蓄積した後に、ＩＣチップに記憶された屋外線差込式引留具１の識別情報などを含む応答信号としての電磁波を上記アンテナ３５に返送する。
【００５３】
以上のように、屋外線３９が布設される際に、屋外線差込式引留具１における引留具本体３の支持線ロック部７に内蔵されたＲＦＩＤ１９に加入者情報などのケーブル情報がＲＦＩＤリード／ライタ機器３１で書き込んでおくことにより、顧客情報の管理が容易に行える。
【００５４】
例えば、回線切り替えを行う際に、ある特定の加入者向けに敷設された屋外線３９を撤去したいときは、多数の屋外線３９から目的とする屋外線３９のみを識別する必要がある。このとき、ＲＦＩＤリード／ライタ機器３１のアンテナ３５とＲＦＩＤ１９との間の電磁波のやり取りにより、ＲＦＩＤ１９の識別情報がＲＦＩＤリード／ライタ機器３１で読み出され、ＲＦＩＤ１９が取り付けられている屋外線差込式引留具１の個別識別を容易に行うことができるので、該当する屋外線３９の配線及び管理が可能となる。したがって、特定の屋外線３９が撤去される時には、ＲＦＩＤリード／ライタ機器３１で照合してから容易に且つ確実に撤去されるので、回線切り替え工事費の大幅削減に寄与する。
【００５５】
なお、この発明は前述した実施の形態に限定されることなく、適宜な変更を行うことによりその他の態様で実施し得るものである。
【００５６】
【発明の効果】
以上のごとき発明の実施の形態の説明から理解されるように、請求項１の発明によれば、多数の屋外線引留具が存在しても、引留具本体にＲＦＩＤを設けた屋外線引留具を採用したことにより、光ケーブルから屋外線により加入者宅へ配線する際に、ＲＦＩＤ読み書き装置で屋外線引留具における引留具本体に設けたＲＦＩＤへ該当する屋外線の情報を書き込むことができるので、屋外線引留具を容易に個別識別することができ、該当する屋外線の管理を容易に行うことができる。その結果、回線切り替え時にはＲＦＩＤ読み書き装置により、多数の屋外線引留具の中から目的とする屋外線引留具を容易に且つ確実に識別することができ、回線切り替え工事を容易に行うことができる。
【００５７】
請求項２の発明によれば、ＲＦＩＤが引留具本体における支持線ロック部に埋設されているから、正確かつ容易に書き込み、読み込みができ、しかも、壊れることなく、長期間使用することができる。
【００５８】
請求項３の発明によれば、屋外線のケーブル情報は、用いられる屋外線引留具における引留具本体のＲＦＩＤに容易に書き込むことができ、この書き込まれた屋外線引留具の識別情報は時間経過によって消滅することはなく、例えばＲＦＩＤ読み書き装置により外部から非接触で短時間に容易に識別できる。
【００５９】
請求項４の発明によれば、多数の屋外線引留具が存在しても、引留具本体にＲＦＩＤを設けた屋外線引留具を採用したことにより、光ケーブルから屋外線により加入者宅へ配線する際に、ＲＦＩＤ読み書き装置で屋外線引留具における引留具本体のＲＦＩＤへ該当する屋外線の情報を書き込むことができるので、屋外線引留具を容易に個別識別することができ、該当する屋外線の管理を容易に行うことができる。その結果、回線切り替え時にはＲＦＩＤ読み書き装置により、多数の屋外線引留具の中から目的とする屋外線引留具を容易に且つ確実に識別することができ、回線切り替え工事を容易に行うことができる。
【００６０】
請求項５の発明によれば、屋外線のケーブル情報は、用いられる屋外線引留具における引留具本体に設けられたＲＦＩＤに容易に書き込むことができ、この書き込まれた屋外線引留具の識別情報は時間経過によって消滅することはなく、例えばＲＦＩＤ読み書き装置により外部から非接触で短時間に容易に識別できる。
【図面の簡単な説明】
【図１】（Ａ）は、この発明の実施の形態の屋外線引留具の平面図で、（Ｂ）は、（Ａ）の下方から視た側面図で、（Ｃ）は、（Ａ）の右方から視た正面図である。
【図２】この発明の実施の形態で用いられるディスク状のＲＦＩＤの斜視図である。
【図３】（Ａ），（Ｂ）は、この発明の実施の形態の屋外線引留具を用いて屋外線を配線するときの動作説明図である。
【図４】この発明の実施の形態に用いられる屋外線の断面図である。
【図５】この発明の実施の形態の屋外線引留具の管理方法の概略的な説明図である。
【図６】従来における光ケーブル並びに屋外線の配線状態を示す概略説明図である。
【図７】図６の部分的な詳細説明図である。
【図８】（Ａ），（Ｂ）は、従来の屋外線引留具と、この屋外線引留具を用いて屋外線を配線するときの動作説明図で、（Ｃ）は、（Ａ）の屋外線引留具の右方から視た正面図である。
【図９】従来例で用いられる屋外線の断面図である。
【符号の説明】
１  屋外線差込式引留具（屋外線引留具）
３  引留具本体
５  ハンガー（吊り本体）
７  支持線ロック部
９  支持線挿入部
１１  突起部
１３  切溝
１５  掛止部
１７  ロック機構
１８  コーン
１９  ＲＦＩＤ
３１  ＲＦＩＤリード／ライタ機器（ＲＦＩＤ読み書き装置）
３９  屋外線
４１  屋外線本体部
４３  光ファイバ
４７  抗張力体
４９  ケーブルシース
５３  支持線
５５  シース材
５７  ケーブル支持線部
【図１】
2004343835.tif 000003
【図２】
2004343835.tif 000004
【図３】
2004343835.tif 000005
【図４】
2004343835.tif 000006
【図５】
2004343835.tif 000007
【図６】
2004343835.tif 000008
【図７】
2004343835.tif 000009
【図８】
2004343835.tif 000010
【図９】
2004343835.tif 000011